(57)【要約】  本開示は、電子装置、無線通信方法及びコンピュータ可読媒体に関する。一実施例によれば、ユーザー装置側に使用される電子装置は処理回路を含み、処理回路は、プリコードされていない第１のアップリンク参照信号を送信し、第１のアップリンク参照信号に対する基地局からのフィードバックを受信し、当該フィードバックに基づいて、プリコードされた第２のアップリンク参照信号を送信するように制御するように配置される。
2021510940.tif 000002
【特許請求の範囲】
【請求項１】
処理回路を含む、ユーザー装置側に使用される電子装置であって、
前記処理回路は、
プリコードされていない第１のアップリンク参照信号を送信し、
前記第１のアップリンク参照信号に対する基地局からのフィードバックを受信し、
前記フィードバックに基づいて、プリコードされた第２のアップリンク参照信号を送信する、
ように制御するように配置される電子装置。
【請求項２】
前記処理回路は、第１の周期で前記第１のアップリンク参照信号を送信し、前記第１の周期よりも小さい第２の周期で前記第２のアップリンク参照信号を送信するように制御するように配置される、請求項１に記載の電子装置。
【請求項３】
前記処理回路はさらに、ビーム走査を行い、前記ビーム走査によって確定されたビームで前記第１のアップリンク参照信号を送信するように制御するように配置される、請求項１に記載の電子装置。
【請求項４】
前記処理回路は、初期アクセス階段で確定されたビームで前記第１のアップリンク参照信号を送信するように制御するように配置される、請求項１に記載の電子装置。
【請求項５】
前記フィードバックは、前記第１のアップリンク参照信号に基づいて前記基地局によって確定されたプリコード行列指示を含む、請求項１に記載の電子装置。
【請求項６】
前記処理回路はさらに、前記第２のアップリンク参照信号に基づいて前記基地局によって確定されたアップリンクチャネル状態情報を受信するように制御するように配置される、請求項１に記載の電子装置。
【請求項７】
前記アップリンクチャネル状態情報は、アップリンクプリコード行列インデックス及びランクインデックスを含む、請求項６に記載の電子装置。
【請求項８】
前記処理回路は、電力ブースト方式で前記第１のアップリンク参照信号を送信するように配置され、前記電力ブースト方式は、
前記第１のアップリンク参照信号が含まれる直交周波数分割多重シンボル内で、前記第１のアップリンク参照信号を運ぶリソースユニットに電力を集中させることを含む、
請求項１に記載の電子装置。
【請求項９】
前記処理回路は、電力ブースト方式で前記第１のアップリンク参照信号を送信するように配置され、前記電力ブースト方式は、
前記第１のアップリンク参照信号が含まれる１つの直交周波数分割多重シンボル内で、１つのアップリンク参照信号ポートのみを送信することを含む、
請求項１に記載の電子装置。
【請求項１０】
前記電力ブースト方式はさらに、
前記第１のアップリンク参照信号が含まれる直交周波数分割多重シンボル内で、非アップリンク参照信号のリソースユニットに零電力を配置することを含む、
請求項８又は請求項９に記載の電子装置。
【請求項１１】
前記処理回路は、前記電力ブースト方式を使用するかどうかに関する指示情報を前記基地局に報告するように制御するように配置される、請求項８又は請求項９に記載の電子装置。
【請求項１２】
ユーザー装置側に使用される無線通信方法であって、
プリコードされていない第１のアップリンク参照信号を送信することと、
前記第１のアップリンク参照信号に対する基地局からのフィードバックを受信することと、
前記フィードバックに基づいて、プリコードされた第２のアップリンク参照信号を送信することと、
を含む無線通信方法。
【請求項１３】
処理回路を含む、基地局側に使用される電子装置であって、
前記処理回路は、
ユーザー装置からプリコードされていない第１のアップリンク参照信号を受信し、
前記第１のアップリンク参照信号に基づいて、前記ユーザー装置にフィードバックを送信し、
前記ユーザー装置から、前記フィードバックに基づいて送信されたプリコードされた第２のアップリンク参照信号を受信する、
ように制御するように配置される電子装置。
【請求項１４】
基地局側に使用される無線通信方法であって、
ユーザー装置からプリコードされていない第１のアップリンク参照信号を受信することと、
前記第１のアップリンク参照信号に基づいて、前記ユーザー装置にフィードバックを送信することと、
前記ユーザー装置から、前記フィードバックに基づいて送信されたプリコードされた第２のアップリンク参照信号を受信することと、
を含む無線通信方法。
【請求項１５】
処理回路を含む、ユーザー装置側に使用される電子装置であって、
前記処理回路は、
２つ以上のアップリンク参照信号リソースを利用して、プリコードされた第１のアップリンク参照信号を送信し、
前記第１のアップリンク参照信号に対する基地局からのフィードバックを受信し、
前記フィードバックに基づいて、プリコードされた第２のアップリンク参照信号を送信する、
ように制御するように配置される電子装置。
【請求項１６】
前記処理回路は、第１の周期で前記第１のアップリンク参照信号を送信し、前記第１の周期よりも小さい第２の周期で前記第２のアップリンク参照信号を送信するように制御するように配置される、請求項１５に記載の電子装置。
【請求項１７】
前記処理回路はさらに、ビームの空間的カバレッジに従って、前記第１のアップリンク参照信号に使用されるアップリンク参照信号リソースの数を確定するように配置され、前記ビームがビーム走査によって確定されるか、又は、初期のアクセス階段で確定される、請求項１５に記載の電子装置。
【請求項１８】
前記フィードバックは、
前記２つ以上のアップリンク参照信号リソースを測定することにより前記基地局によって選択された参照信号リソースの指示情報、又は、
各プリコードされたアップリンク参照信号リソースに対する前記基地局のチャネル品質指示、を含む、請求項１５に記載の電子装置。
【請求項１９】
前記処理回路は、前記基地局から通知されるアップリンク参照信号リソースを受信するように制御するように配置され、リソースの一部は、アップリンクビーム走査にのみ使用され、リソースの一部はアップリンク参照信号の送信にのみ使用される、
請求項１５に記載の電子装置。
【請求項２０】
前記処理回路は、アップリンク参照信号リソース指示とともに前記基地局によって送信された指示ビットに従って、前記アップリンク参照信号リソース指示がアップリンクビーム走査に使用されるリソースに向けられるか、アップリンク参照信号の送信に使用されるリソースに向けられるかを確定するように配置される、
請求項１５に記載の電子装置。
【請求項２１】
前記処理回路は、初期アクセス階段で確定されたビームペアリンクを介して前記第１のアップリンク参照信号を送信するように配置される、
請求項１５に記載の電子装置。
【請求項２２】
前記処理回路はさらに、前記第２のアップリンク参照信号に基づいて前記基地局によって確定されたアップリンクチャネル状態情報を受信するように制御するように配置される、
請求項１５に記載の電子装置。
【請求項２３】
前記アップリンクチャネル状態情報は、アップリンクプリコード行列インデックスを含む、
請求項２２に記載の電子装置。
【請求項２４】
ユーザー装置側に使用される無線通信方法であって、
２つ以上のアップリンク参照信号リソースを利用して、プリコードされた第１のアップリンク参照信号を送信することと、
前記第１のアップリンク参照信号に対する基地局からのフィードバックを受信することと、
前記フィードバックに基づいて、プリコードされた第２のアップリンク参照信号を送信することと、
を含む無線通信方法。
【請求項２５】
処理回路を含む、基地局側に使用される電子装置であって、
前記処理回路は、
ユーザー装置から、２つ以上のアップリンク参照信号リソースを利用して送信されたプリコードされた第１のアップリンク参照信号を受信し、
前記第１のアップリンク参照信号に基づいて、前記ユーザー装置にフィードバックを送信し、
前記フィードバックに基づいて前記ユーザー装置によって送信されたプリコードされた第２のアップリンク参照信号を受信する、
ように制御するように配置される電子装置。
【請求項２６】
基地局側に使用される無線通信方法であって、
ユーザー装置から、２つ以上のアップリンク参照信号リソースを利用して送信されたプリコードされた第１のアップリンク参照信号を受信することと、
前記第１のアップリンク参照信号に基づいて、前記ユーザー装置にフィードバックを送信することと、
前記フィードバックに基づいて前記ユーザー装置によって送信されたプリコードされた第２のアップリンク参照信号を受信することと、
を含む無線通信方法。
【請求項２７】
情報処理装置によって実行されるときに、前記情報処理装置に請求項１２、１４、２４又は２６に記載の方法を実行させる実行可能指令を含むコンピュータ可読媒体。
【発明の詳細な説明】
【技術分野】
【０００１】
本開示は一般に、無線通信分野に関し、より具体的に、ユーザー装置側に使用される電子装置及び無線通信方法、基地局側に使用される電子装置及び無線通信方法、並びにコンピュータ可読媒体に関する。
【背景技術】
【０００２】
無線通信に使用される周波数帯域の増加に伴い、無線チャネルは、低い周波数帯域よりも大きな経路損失や大気吸収損失などの悪影響を受ける。例えば、高周波チャネルの問題を解決するために、３ＧＰＰ（第３世代パートナーシッププロジェクト）は大規模アンテナ（Ｍａｓｓｉｖｅ  ＭＩＭＯ）技術を導入し、即ち、基地局又はユーザー装置（ＵＥ）に多数のアンテナアレイ（Ａｎｔｅｎｎａ  Ｅｌｅｍｅｎｔｓ）を設置することによって、ビームフォーミングを実行して、高周波チャネルに存在するフェージング損失を補償する。
【発明の概要】
【発明が解決しようとする課題】
【０００３】
ＵＥのサイズが小さいが、複数のアンテナアレイが設置され得る。しかしながら、無線周波数デバイスのコストが高いため、トランシーバーユニット（ＴＸＲＵ）は一般に、アンテナアレイと１対１で配置されない。異なるＴＸＲＵとアンテナアレイとの間の比例を考慮すると、アナログビームフォーミングとデジタルビームフォーミングとの間にはトレードオフがある。ＴＸＲＵが多いほど、デジタルビームフォーミング機能は強くなるが、無線周波数ビームフォーミング機能は弱くなる。アンテナアレイが多いほど、無線周波数ビームフォーミング機能は強くなるが、デジタルビームフォーミング機能は弱くなる。
【課題を解決するための手段】
【０００４】
本発明に関するある態様の基本的理解を提供するように、本発明の実施例に関する簡単な概説を以下に示す。以下の概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示することである。
【０００５】
一実施例によれば、処理回路を含む、ユーザー装置側に使用される電子装置が提供される。処理回路は、プリコードされていない第１のアップリンク参照信号を送信し、第１のアップリンク参照信号に対する基地局からのフィードバックを受信し、当該フィードバックに基づいて、プリコードされた第２のアップリンク参照信号を送信するように制御するように配置される。
【０００６】
別の実施例によれば、ユーザー装置側に使用される無線通信方法が提供され、プリコードされていない第１のアップリンク参照信号を送信することと、第１のアップリンク参照信号に対する基地局からのフィードバックを受信することと、当該フィードバックに基づいて、プリコードされた第２のアップリンク参照信号を送信することと、を含む。
【０００７】
さらに別の実施例によれば、処理回路を含む、基地局側に使用される電子装置が提供される。処理回路は、ユーザー装置からプリコードされていない第１のアップリンク参照信号を受信し、第１のアップリンク参照信号に基づいて、ユーザー装置にフィードバックを送信し、ユーザー装置から、当該フィードバックに基づいて送信されたプリコードされた第２のアップリンク参照信号を受信するように制御するように配置される。
【０００８】
さらに別の実施例によれば、基地局側に使用される無線通信方法が提供され、ユーザー装置からプリコードされていない第１のアップリンク参照信号を受信することと、第１のアップリンク参照信号に基づいて、ユーザー装置にフィードバックを送信することと、ユーザー装置から、当該フィードバックに基づいて送信されたプリコードされた第２のアップリンク参照信号を受信することと、を含む。
【０００９】
さらに別の実施例によれば、処理回路を含む、ユーザー装置側に使用される電子装置が提供される。処理回路は、２つ以上のアップリンク参照信号リソースを利用して、プリコードされた第１のアップリンク参照信号を送信し、第１のアップリンク参照信号に対する基地局からのフィードバックを受信し、当該フィードバックに基づいて、プリコードされた第２のアップリンク参照信号を送信するように制御するように配置される。
【００１０】
さらに別の実施例によれば、ユーザー装置側に使用される無線通信方法が提供され、２つ以上のアップリンク参照信号リソースを利用して、プリコードされた第１のアップリンク参照信号を送信することと、第１のアップリンク参照信号に対する基地局からのフィードバックを受信することと、当該フィードバックに基づいて、プリコードされた第２のアップリンク参照信号を送信することと、を含む。
【００１１】
さらに別の実施例によれば、処理回路を含む、基地局側に使用される電子装置が提供される。処理回路は、ユーザー装置から、２つ以上のアップリンク参照信号リソースを利用して送信されたプリコードされた第１のアップリンク参照信号を受信し、第１のアップリンク参照信号に基づいて、ユーザー装置にフィードバックを送信し、当該フィードバックに基づいてユーザー装置によって送信されたプリコードされた第２のアップリンク参照信号を受信するように制御するように配置される。
【００１２】
さらに別の実施例によれば、基地局側に使用される無線通信方法が提供され、ユーザー装置から、２つ以上のアップリンク参照信号リソースを利用して送信されたプリコードされた第１のアップリンク参照信号を受信することと、第１のアップリンク参照信号に基づいて、ユーザー装置にフィードバックを送信することと、当該フィードバックに基づいてユーザー装置によって送信されたプリコードされた第２のアップリンク参照信号を受信することと、を含む。
【００１３】
本発明の実施例は、情報処理装置によって実行されるときに情報処理装置に上記の実施例の方法を実行させる実行可能指令が含まれるコンピュータ可読媒体をさらに含む。
【００１４】
本発明の実施例は、アップリンクチャネル状態情報（ＣＳＩ）の正確性を改善しつつ、システムオーバーヘッドを低減することができる。
【図面の簡単な説明】
【００１５】
本発明は、添付の図面と併せて以下の説明を参照することによって、よりよく理解されることができ、同じ又は類似の構成要素について、図面全体にわたって同じ又は類似の参照符号が使用されている。前記図面は、以下の詳細な説明と共に、本明細書に含まれて、本明細書の一部を形成し、また、本発明の好ましい実施例と原理及び利点をさらに説明するために使用される。図面では、
【図１】本発明の一実施例によるユーザー装置側に使用される電子装置の配置例を示すブロック図である。
【図２】本発明の別の実施例によるユーザー装置側に使用される電子装置の配置例を示すブロック図である。
【図３】本発明の一実施例によるユーザー装置側に使用される無線通信方法の手順例を示すフローチャートである。
【図４】本発明の一実施例による基地局側に使用される電子装置の配置例を示すブロック図である。
【図５】本発明の一実施例による基地局側に使用される無線通信方法の手順例を示すフローチャートである。
【図６】本発明の一実施例によるユーザー装置側に使用される電子装置の配置例を示すブロック図である。
【図７】本発明の一実施例によるユーザー装置側に使用される無線通信方法の手順例を示すフローチャートである。
【図８】本発明の一実施例による基地局側に使用される無線通信方法の手順例を示すフローチャートである。
【図９】本発明の一実施例によるユーザー装置側に使用される無線通信装置の配置例を示すブロック図である。
【図１０】本発明の一実施例による基地局側に使用される無線通信装置の配置例を示すブロック図である。
【図１１】アップリンクサウンディング基準信号（Ｓｏｕｎｄｉｎｇ  Ｒｅｆｅｒｅｎｃｅ  Ｓｉｇｎａｌ、ＳＲＳ）の送信周期を説明するための概略図である。
【図１２】図１２Ａ乃至図１２Ｄは例示的な実施例によるアップリンク混合チャネル状態情報を説明するための概略図である。
【図１３】例示的な実施例による電力ブースト方式を説明するための概略図である。
【図１４】別の例示的な実施例による電力ブースト方式を説明するための概略図である。
【図１５】例示的な実施例による、ユーザー装置によるアナログビームの送信及びデジタルプリコードを説明するための図である。
【図１６】例示的な実施例によるアップリンク混合チャネル状態情報のシグナリングインタラクションを示す概略図である。
【図１７】図１７Ａ乃至図１７Ｄは、別の例示的な実施例によるアップリンク混合チャネル状態情報を説明するための概略図である。
【図１８】別の例示的な実施例による、ユーザー装置によるアナログビームの送信及びデジタルプリコードを説明するための概略図である。
【図１９】Ｋ個のアップリンク参照信号リソースが物理リソースブロックに共存する場合を説明するための概略図である。
【図２０】別の例示的な実施例によるアップリンク混合チャネル状態情報のシグナリングインタラクションを示す概略図である。
【図２１】本開示の方法及び装置を実現するコンピュータの例示的な構成を示すブロック図である。
【図２２】本開示の技術を適用できるスマートフォンの概略配置の一例を示すブロック図である。
【図２３】本開示の技術を適用できるｇＮＢ（５Ｇシステムにおける基地局）の概略配置の一例を示すブロック図である。
【発明を実施するための形態】
【００１６】
以下、図面を参照して本発明の実施例を説明する。本発明の図面の1つ又は一実施形態で説明された要素及び特徴は、1つ又は複数の他の図面又は実施形態に示された要素及び特徴と組み合わせられてもよい。明確にするために、本発明に関係のない当業者に知られている構成要素及び処理の表現及び説明は、図面及び説明から省略されていることに留意されたい。
【００１７】
図１に示すように、本実施例によるユーザー装置側に使用される電子装置１００は処理回路１１０を含む。処理回路１１０は例えば、特定のチップ、チップセットや中央処理ユニット（ＣＰＵ）などとして実現されることができる。
【００１８】
処理回路１１０は送信制御ユニット１１１及び受信制御ユニット１１３を含む。なお、図面では、送信制御ユニット１１１及び受信制御ユニット１１３が機能ブロックの形で示されているが、これらのユニットの機能は、処理回路１１０によっても全体として実現することができ、必ずしも処理回路１１０における個別の実際の構成要素によって実現するのではないことを理解されたい。また、図面では、処理回路１１０をブロックで示しているが、電子装置１００は複数の処理回路を含んでもよく、さらに、送信制御ユニット１１１及び受信制御ユニット１１３の機能を複数の処理回路に分散させて、複数の処理回路によって連携してこれらの機能を実行する。
【００１９】
送信制御ユニット１１１は、プリコードされていない第１のアップリンク参照信号を送信するように制御するように配置される。
【００２０】
受信制御ユニット１１３は、第１のアップリンク参照信号に対する基地局のフィードバックを受信するように制御するように配置される。
【００２１】
一実施例によれば、第１のアップリンク参照信号に対する基地局のフィードバックは、第１のアップリンク参照信号に基づいて基地局によって確定されたプリコード行列指示を含むことができる。
【００２２】
送信制御ユニット１１１はさらに、当該フィードバックに基づいて、プリコードされた第２のアップリンク参照信号を送信するように制御するように配置される。
【００２３】
一実施例によれば、受信制御ユニット１１３は、第２のアップリンク参照信号に基づいて基地局によって確定されたアップリンクチャネル状態情報を受信するように制御するように配置される。限定ではなく例として、アップリンクチャネル状態情報は例えば、アップリンクプリコード行列インデックス及びランクインデックスを含むことができる。
【００２４】
また、一実施例によれば、送信制御ユニット１１１は、第１の周期で第１のアップリンク参照信号を送信し、第１の周期よりも小さい第２の周期で第２のアップリンク参照信号を送信するように制御するように配置されてもよい。
【００２５】
図１１に示す例では、Ｔｙｐｅ  １  ＳＲＳ（第１のクラスアップリンク参照信号）は上記した第１のアップリンク参照信号に対応し、Ｔｙｐｅ  ２  ＳＲＳ（第２のクラスアップリンク参照信号）は上記した第２のアップリンク参照信号に対応する。図１１に示すように、Ｔｙｐｅ  １  ＳＲＳ周期でＴｙｐｅ  １  ＳＲＳを送信し、各Ｔｙｐｅ  １  ＳＲＳ周期内に、Ｔｙｐｅ  ２  ＳＲＳ周期で複数のＴｙｐｅ  ２  ＳＲＳを送信することができる。
【００２６】
また、基地局がアップリンクのＣＳＩを取得する前に、基地局とＵＥとの間で適切なビームペアリンク（Ｂｅａｍ  Ｐａｉｒ  Ｌｉｎｋ、ＢＰＬ）又は送受信ビーム（Ｔｘ-Ｒｘ  Ｂｅａｍ）、即ち、ユーザー側のアップリンク送信ビームと基地局側のアップリンク受信ビーム及びユーザー側のダウンリンク受信ビームと基地局側のダウンリンク送信ビームを確立する必要がある。基地局は、アップリンク参照信号を測定することによって、基地局での適切な受信ビーム及びＵＥの送信ビームを知って、ダウンリンクの制御チャネルを介してＵＥにその送信ビームを通知することができ、ダウンリンクビームペアリンクが確率される前に、例えば、デュアルコネクティビティを備えた別の基地局の低周波キャリアのダウンリンク制御チャネルを介してＵＥにその送信ビームを通知することができる。これに対応して、ユーザーは、ダウンリンク参照信号を測定することによって、基地局での適切な送信ビーム及びＵＥの受信ビームを知って、アップリンクの制御チャネルを介して基地局にその送信ビームを通知することができ、アップリンクビームペアリンクが確立される前に、例えば、デュアルコネクティビティを備えた別の基地局の低周波キャリアのアップリンク制御チャネルを介して、基地局にその送信ビームを通知することができる。この手順の目的は、アップリンク送信とダウンリンク受信に使用するビームをＵＥに知らせることであり、これにより、基地局は、アップリンク受信とダウンリンク送信に使用する対応するビームを知ることができる。
【００２７】
相応的に、図２に示すように、一実施例によるユーザー装置側に使用される電子装置２００は処理回路２１０を含む。処理回路２１０は送信制御ユニット２１１、受信制御ユニット２１３及び走査制御ユニット２１５を含む。
【００２８】
走査制御ユニット２１５は、ビーム走査を制御するように配置され、送信制御ユニット２１１は、ビーム走査によって確定されたビームで第１のアップリンク参照信号を送信するように制御するように配置される。
【００２９】
以下では、基地局とＵＥとの間で十分なビームフォーミングゲインを持つＢＰＬが確立されていると想定する。後続のＣＳＩの取得、即ち、ＵＥによるアップリンク参照信号の送信及び基地局による当該信号の測定は、確定されたＢＰＬで行われる。一例として、図１１に示されるＵＬビーム走査はアップリンクビーム走査手順に対応する。
【００３０】
アップリンクビーム走査手順は、例えば以下の手順を含むことができ、基地局端（ＴＲＰ、Ｔｒａｎｓｍｉｓｓｉｏｎ／Ｒｅｃｅｐｔｉｏｎ  Ｐｏｉｎｔ）は測定を行って、ＵＥのアップリンク送信ビーム又は基地局端のアップリンク受信ビームを確定し、基地局端は、測定を行って、基地局端の受信ビームを選択又は変更し、基地局端は、測定を行って、ＵＥのアップリンク送信ビームを変更する。
【００３１】
また、別の実施例によれば、初期アクセス階段（Ｉｎｉｔｉａｌ  Ａｃｃｅｓｓ）で確定されたビームで第１のアップリンク参照信号を送信してもよい。
【００３２】
つまり、第１のアップリンク参照信号を送信するビームは、ＵＥがアップリンクビーム走査を行った後に確定されたビームであってもよく、ＵＥによって初期アクセス階段で確定された太いビームであってもよい。ここで、太いビームとは、細いビームに比較して、当該ビームの空間指向性が広いが、ビームフォーミングゲインが小さいことを意味する。
【００３３】
次に、図１２Ａ乃至図１２Ｄを参照して、アップリンク混合チャネル状態情報を取得する方法の一例を説明する。
【００３４】
まず、図１２Ａに示すように、ＵＥの送信（Ｔｘ）ビームと基地局（ＴＲＰ）の受信（Ｒｘ）ビームは、ビーム走査に基づいて確定される。
【００３５】
次に、図１２Ｂに示すように、ＵＥは、選択されたビームでプリコードされていないＳＲＳ信号（Ｃｌａｓｓ  Ａ（Ａクラス）プリコードされていないＳＲＳ）を送信し、基地局は、測定によって、部分的プリコード行列指示（部分的ＰＭＩ、即ち、チャネルの広帯域長期特性を表す第1のレベルのコードブックにおけるコードワードＷ１のインデックス）を計算して、ＵＥにフィードバックする。
【００３６】
次に、図１２Ｃに示すように、ＵＥは、基地局によってフィードバックされる部分的ＰＭＩによって指示されるプリコード行列Ｗ１を介してＳＲＳをプリコードして、プリコードされたＳＲＳを送信し、基地局は、プリコードされたＳＲＳを測定することによって、チャネルの狭帯域短期特性を表す第２のレベルのコードブックにおけるコードワードＷ２をＵＥにフィードバックして、アップリンクチャネルＣＳＩを取得する。
【００３７】
最後に、図１２Ｄに示すように、ＵＥは、アップリンクチャネルＣＳＩによって反映されるチャネル状況によって、アップリンクデータチャネルＰＵＳＣＨ（物理アップリンク共有チャネル）でのデータシンボルをプリコードして、アップリンクデータを送信する。例えば、Ｗ１*Ｗ２によって得られたプリコード行列Ｗによってデータのプリコードを実行する。
【００３８】
なお、上記の例で与えられた特定の詳細は単に例示的なものであり、制限的なものではないことに留意されたい。
【００３９】
上記の例示的な手順では、アップリンク送信ビームが確定された後、ＵＥは、当該ビームで全てのポートのＣｌａｓｓ  Ａ  ＳＲＳを送信することができ、ここで、Ｃｌａｓｓ  Ａ  ＳＲＳとは、プリコードされていない（Ｎｏｎ-Ｐｒｅｃｏｄｅｄ）ＳＲＳである。つまり、ＵＥは、持っているＴＸＲＵの数又は、配置されたＳＲＳのポートの数と同じ数のポートのＳＲＳを送信する。ＵＥは、対応するＳＲＳリソースでプリコードされていない全てのＳＲＳポートを送信する。本開示の様々な例では、プリコードは、デジタルマルチアンテナプリコードを指す。
【００４０】
上記したＣｌａｓｓ  ＡのＣＳＩ測定に対して、Ｃｌａｓｓ  Ｂ（Ｂクラス）のＣＳＩ測定を定義してもよく、当該測定は、ダウンリンクのプリコード（Ｐｒｅｃｏｄｅｄ）された参照信号に基づいて行われる。また、長周期及び広帯域のチャネルＣＳＩ（図１１におけるＴｙｐｅ  １  ＳＲＳに対応して測定された第１のクラスＣＳＩと呼ばれ、）と、短周期及びサブバンドのＣＳＩ（図１１におけるＴｙｐｅ  ２  ＳＲＳに対応して測定された第２のクラスＣＳＩと呼ばれ、）を定義してもよい。第１のクラスＣＳＩの目的は、チャネルの長期特征を収集し、第２のクラスＣＳＩの参照信号を送信するためにプリコードすることである。第２のクラスＣＳＩは最終的なＣＳＩを取得するための短周期及びサブバンドのＣＳＩである。
【００４１】
基地局が、十分な受信電力で、特に、例えば６ＧＨｚよりも高い周波数範囲内でＳＲＳ信号を受信できるようにするために、ＵＥは、ＳＲＳの各ポートに対して集中電力の送信を行うことができる。
【００４２】
相応的に、一実施例によれば、送信制御ユニット１１１は、第１のアップリンク参照信号を電力ブースト（Ｐｏｗｅｒ  Ｂｏｏｓｔｉｎｇ）方式で送信するように配置されることができる。
【００４３】
電力ブースト方式は、第１のアップリンク参照信号が含まれる直交周波数分割多重（ＯＦＤＭ）シンボル内で、第１のアップリンク参照信号を運ぶリソースユニット（ＲＥ）に電力を集中させることを含むことができる。
【００４４】
或いは、電力ブースト方式は、第１のアップリンク参照信号が含まれる直交周波数分割多重シンボル内で、１つのアップリンク参照信号ポートのみを送信することを含むことができる。
【００４５】
また、電力ブースト方式は、第１のアップリンク参照信号が含まれる直交周波数分割多重シンボル内で、非アップリンク参照信号のリソースユニットに零電力を配置することを含んでもよい。
【００４６】
図１３は、ＳＲＳポート（ｐｏｒｔ）に対して電力ブースト操作を行う一例を示す概略図である。図１３では、横軸ｔは時間（即ちＯＦＤＭシンボル）を表し、縦軸ｆは、周波数（即ちサブキャリア）を表す。図に示すように、ＳＲＳが含まれるＯＦＤＭシンボル内で、ＵＥはＳＲＳを運ぶＲＥに全ての電力を集中させ、非ＳＲＳのＲＥ位置で零電力を配置する。
【００４７】
４つのＳＲＳポートが１つのＯＦＤＭシンボルを占有することを例にとると、電力ブースト方式は、各ＳＲＳポートの送信電力を３倍に増やすことができる。
【００４８】
図１４は、ＳＲＳポートを切り替える（ＳＲＳ  Ｐｏｒｔ  Ｓｗｉｔｃｈ）操作を示す概略図である。図１４では、横軸ｔは時間（即ちＯＦＤＭシンボル）を表し、縦軸ｆは周波数（即ちサブキャリア）を表す。図１４に示すように、ＳＲＳが含まれるＯＦＤＭシンボル内で、１つのＳＲＳポートのみが送信され、ＳＲＳが含まれる次のＯＦＤＭシンボル内で、別のＳＲＳポートが送信される。簡単に言うと、各ＳＲＳポートは順番に送信が行われ、１つのＯＦＤＭシンボルにおける１つのＳＲＳポートは、ＲＥをより多く占有し送信され、アップリンクの送信電力を独占することができる。
【００４９】
なお、電力ブースト方案は、ポートの切り替えの方案において組み合わせて使用されることができ、即ち、１つのＯＦＤＭシンボルは、１つのＳＲＳポートのみを送信し、当該シンボルにおける他のＲＥの電力は０に設置され、節約された電力はＳＲＳポートが占有するＲＥによって使用されることができる。このようにする目的は、ＵＥによって送信されたプリコードされていないＳＲＳ信号は基地局十分な電力で基地局によって受信されることができるようにすることである。
【００５０】
なお、例えば、アップリンク経路損失（Ｐａｔｈ  Ｌｏｓｓ）測定及びレートマッチング（Ｒａｔｅ  Ｍａｔｃｈｉｎｇ）などの問題により、ＵＥは、ＳＲＳポートに電力ブースト方案が使用されるかどうかを基地局に報告することができる。
【００５１】
相応的に、一実施例によれば、送信制御ユニット１１１は、電力ブースト方式を使用するかどうかに関する指示情報を基地局に報告するように制御するように配置されることができる。
【００５２】
次に、さらに、図１５を参照して、上記の例示的な手順について全体的に説明する。
【００５３】
時間の観点から見ると、Ｃｌａｓｓ  ＡのＳＲＳ送信周期は長く、その目的は、基地局にＵＥアップリンクチャネルの一般的な状況を知らせることである。その時間関係は例えば図１１に示されている。
【００５４】
基地局は、Ｃｌａｓｓ  Ａ  ＳＲＳを測定した後、当該ＵＥに適合するプリコードベクトル行列を知って、また、例えば、アップリンクコードワードＷ１の方式によってＵＥに通知することができる。チャネル全体のプリコードコードワードＰＭＩＷ＝Ｗ１*Ｗ２であり、Ｗ２の機能は、Ｗ１に含まれるＭ個のセカンダリコードワードから１つのコードワードを選択することに相当する。
【００５５】
ＵＥは、Ｗ１によって、適切なプリコードベクトル行列を推定し、後続の手順では、当該プリコード行列を使用してＣｌａｓｓ  Ｂ  ＳＲＳリソースをプリコードし、これにより、当該ＳＲＳは、強いビームフォーミングゲイン、即ち、空間指向性を有する。同時に、Ｃｌａｓｓ  Ｂ  ＳＲＳポートの数は以前のＣｌａｓｓ  Ａ  ＳＲＳポートの数と比較して大幅に削減されるため、システムの参照信号オーバーヘッドが低減される。
【００５６】
次に、プリコードの計算について簡単に説明する。
【００５７】
2021510940.tif 000003
【００５８】
基地局は、プリコードされたＣｌａｓｓ  Ｂ  ＳＲＳを測定し、アップリンクプリコード行列インデックス（ＴＰＭＩ）及びランクインデックス（ＴＲＩ）を算出して、ＵＥに通知する。基地局は、ＵＬ  Ｇｒａｎｔ（アップリンク許可）シグナリングによって、使用する変調符号化方案（ＭＣＳ）レベルをＵＥに通知することができる。また、基地局はチャネル品質指示（ＣＱＩ）をＵＥに通知してもよい。
【００５９】
上記の例示的な手順では、例えば、ビーム走査手順によってより細かいビームペアリンクが基地局とＵＥとの間で確立された後、ＲＲＣシグナリングなどの高位レイヤーシグナリングによって、ＵＥのみにＴｙｐｅ  １  Ｃｌａｓｓ  ＡのＳＲＳを配置する場合に、ＵＥは、Ｃｌａｓｓ  ＡのＳＲＳのみを送信し、基地局からフィードバックされたＴＰＭＩによってデータを送信する。一方、例えば、初期アクセス手順によって、粗いビームペアリンクが基地局とＵＥとの間で確立された後、基地局は、ＲＲＣレイヤーシグナリングなどの高位レイヤーシグナリングによって、ＵＥにＴｙｐｅ  １  Ｃｌａｓｓ  ＡのＳＲＳを配置するだけでなく、当該ＵＥにＣｌａｓｓ  Ｂ  Ｋ＝１個のリソースのＳＲＳを配置する場合に、ＵＥは、上記のプロセスを介して混合アップリンクＣＳＩ取得を行う。
【００６０】
次に、図１６を参照して、チャネル状態情報を取得する手順例について説明する。
【００６１】
まず、ＵＥと基地局はビーム走査手順を行い、基地局は、ＳＲＳ参照信号を測定して、アップリンク送信（ＵＬ  Ｔｘ）ビーム選択を行い、例えば、最大の受信電力（ＲＳＲＰ）を持つアップリンク送信ビームを選択し、選択されたビームを指示する第１のＳＲＳリソース指示（Ｔｙｐｅ  Ｉ  ＳＲＩ）をＵＥに送信する。全てのアップリンク送信ビームは、異なるリソースによって運ばれるＳＲＳを伝送するため、基地局とＵＥとの両方はＳＲＳのリソース指示によって、対応するビームを識別することができる。
【００６２】
次に、ＵＥは全てのＳＲＳポートを介して送信し、基地局は、全てのＳＲＳポートを測定して、最適ＵＬプリコーダを計算し、且つ、最適ＵＬ  Ｔｘプリコーダ（Ｗ１）を指示する部分的ＰＭＩをＵＥに送信する。
【００６３】
次に、ＵＥは、基地局によってフィードバックされたＵＬ  ＴｘプリコーダＷ１に従って、ＳＲＳをプリコードして、プリコードされたＳＲＳを送信し、基地局は、測定を行い、より細いプリコード行列Ｗ２を指示することができるアップリンクチャネル状態情報（ＵＬ  ＣＳＩ）を計算することで、アップリンクＴＰＭＩ、ＴＲＩ及び／又はＣＱＩをＵＥにフィードバックする。
【００６４】
最後に、ＵＥは、ＰＵＳＣＨ送信を行うために、基地局によって指示されるプリコーダＷ１＊Ｗ２を利用してデータシンボルをプリコードし、基地局はデータ検出を行い、混合自動再送要求（ＨＡＲＱ）フィードバックを行う。
【００６５】
本発明の実施例によるユーザー装置側に使用される電子装置の前述の説明において、いくつかの手順及び方法も開示されていることは明らかである。次に、上記した詳細を繰り返さずに、本発明の一実施例によるユーザー装置側に使用される無線通信方法について説明する。
【００６６】
図３に示すように、一実施例によれば、ユーザー装置側に使用される無線通信方法は、
プリコードされていない第１のアップリンク参照信号を送信するステップＳ３１０と、第１のアップリンク参照信号に対する基地局からのフィードバックを受信するステップＳ３２０と、当該フィードバックに基づいて、プリコードされた第２のアップリンク参照信号を送信するステップＳ３３０と、を含む。
【００６７】
また、本発明の実施例は、基地局側に使用される電子装置をさらに含む。
【００６８】
図４に示すように、一実施例による基地局側に使用される電子装置４００は処理回路４１０を含み、処理回路４１０は受信制御ユニット４１１及び送信制御ユニット４１３を含む。
【００６９】
受信制御ユニット４１１は、ユーザー装置からプリコードされていない第１のアップリンク参照信号を受信するように制御するように配置される。
【００７０】
送信制御ユニット４１３は、第１のアップリンク参照信号に基づいて、当該ユーザー装置にフィードバックを送信するように制御するように配置される。
【００７１】
受信制御ユニット４１１はさらに、当該ユーザー装置から、当該フィードバックに基づいて送信されたプリコードされた第２のアップリンク参照信号を受信するように制御するように配置される。
【００７２】
図５は、一実施例による基地局側に使用される無線通信方法を示し、当該方法は、ユーザー装置からプリコードされていない第１のアップリンク参照信号を受信するステップＳ５１０と、第１のアップリンク参照信号に基づいて、当該ユーザー装置にフィードバックを送信するステップＳ５２０と、当該ユーザー装置から、当該フィードバックに基づいて送信されたプリコードされた第２のアップリンク参照信号を受信するステップＳ５３０と、を含む。
【００７３】
本発明の第１の態様による上記の実施形態では、Ｃｌａｓｓ  Ａ  +  Ｋ＝１  Ｃｌａｓｓ  Ｂの混合ＣＳＩメカニズムを採用し、Ｃｌａｓｓ  Ａは、プリコードされていないＳＲＳを表し、Ｋ＝１  Ｃｌａｓｓ  Ｂは、プリコードされたＳＲＳリソースの数が１であるプリコードされたＳＲＳを表す。
【００７４】
本発明の別の態様による実施形態では、Ｋ＞１  Ｃｌａｓｓ  Ｂ  +  Ｋ＝１  Ｃｌａｓｓ  Ｂの混合ＣＳＩメカニズムが提供され、Ｋ＞１  Ｃｌａｓｓ  Ｂは、プリコードされたＳＲＳリソースの数が１よりも大きいプリコードされたＳＲＳを表す。次に、当該態様の実施例について説明する。
【００７５】
引き続き図１を参照して、本発明の第２の態様の一実施例によるユーザー装置側に使用される電子装置について説明する。本実施例による電子装置１００は処理回路１１０を含み、処理回路１１０は送信制御ユニット１１１及び受信制御ユニット１１３を含む。
【００７６】
送信制御ユニット１１１は、２つ以上のアップリンク参照信号リソースを利用して、プリコードされた第１のアップリンク参照信号を送信するように制御するように配置される。
【００７７】
受信制御ユニット１１３は、第１のアップリンク参照信号に対する基地局からのフィードバックを受信するように制御するように配置される。
【００７８】
一実施例によれば、当該フィードバックは、前記２つ以上のアップリンク参照信号リソースを測定することによって基地局によって選択された参照信号リソースの指示情報を含むことができる。又は、当該フィードバックは、各プリコードされたアップリンク参照信号リソースに対する基地局のチャネル品質指示を含むことができる。
【００７９】
送信制御ユニット１１１は、当該フィードバックに基づいて、プリコードされた第２のアップリンク参照信号を送信するように制御するように配置される。
【００８０】
図１１に示す状況と同様に、本発明の第２の態様による一実施例では、送信制御ユニット１１１は、第１の周期で第１のアップリンク参照信号を送信し、第１の周期よりも小さい第２の周期で第２のアップリンク参照信号を送信するように制御するように配置される。
【００８１】
一実施例によれば、受信制御ユニット１１３は、第２のアップリンク参照信号に基づいて基地局によって確定されたアップリンクチャネル状態情報を受信するように制御するように配置される。
【００８２】
一例として、アップリンクチャネル状態情報は、アップリンクプリコード行列インデックスを含むことができる。
【００８３】
第２の態様による実施例では、ＵＥは、前述の実施例と同様の方法でビーム走査を行うことができ、基地局は、例えば、ＳＲＩ（ＳＲＳリソース指示）をフィードバックすることによって、ＵＥにそのアップリンクの送信ビームを通知する。その後、ＵＥは、選択されたアナログビーム範囲内でプリコードを介してＫ＞１  Ｃｌａｓｓ  Ｂ  ＳＲＳリソースを送信することができる。
【００８４】
特に、ＵＥは、確定されたアップリンク送信ビームに従って、Ｋ＞１個のプリコードＳＲＳのプリコード行列を確定することができる。例えば、ＵＥによって確定されたアップリンクビームは、水平次元で６０度から１００度までの４０度の空間をカバーする場合に、ＵＥは、Ｋ＝４個のプリコードベクトル行列を選択して、水平空間においてそれぞれ６０度から７０度、７０度から８０度、８０度から９０度、９０度から１００度をカバーするプリコードされたＳＲＳを送信することができる。当業者であれば、デジタルプリコードにより、無線電波に特定の指向性を持たせることができるため、異なるプリコード行列と同じアナログビームを重ね合わせて、それぞれ異なる角度をカバーするＳＲＳを送信することができることを理解できる。
【００８５】
図６は、別の実施例によるユーザー装置側に使用される電子装置６００の配置例を示した。電子装置６００は処理回路６１０を含み、処理回路６１０は確定ユニット６１５と、送信制御ユニット６１１と、受信制御ユニット６１３とを含む。送信制御ユニット６１１と受信制御ユニット６１３の配置は前述の送信制御ユニット及び受信制御ユニットと同様である。
【００８６】
確定ユニット６１５は、ビームの空間カバレッジに従って、第１のアップリンク参照信号に使用されるアップリンク参照信号リソースの数を確定するように配置され、当該ビームは、ビーム走査によって確定されるか、又は初期アクセス階段で確定される。
【００８７】
次に、図１７Ａ乃至図１７Ｄを参照して、アップリンク混合チャネル状態情報を取得する方法の一例を説明する。
【００８８】
図１７Ａに示すように、まず、ビーム走査に基づいて、ＵＥの送信ビームと基地局の受信ビームを確定する。
【００８９】
次に、図１７Ｂに示すように、ＵＥは、確定されたアナログビーム範囲内のＫ個のリソースを利用して、Ｋ個のそれぞれプリコードされたＳＲＳを送信し（例えば、１番目のＳＲＳリソースで、プリコードされたＳＲＳポート１〜４を伝送し、２番目のＳＲＳリソースで、プリコードされたＳＲＳポート５〜８を伝送し、これにより類推する）、基地局は、Ｋ個のＳＲＳリソースを測定することによって、例えば、ＲＳＲＰに基づいて、最大の受信電力を持つプリコードされたリソースを選択して、ＳＲＩを介してＵＥに通知し、或いは、基地局は、各プリコードされたＳＲＳリソースに対応するＣＱＩをＵＥに直接フィードバックしてもよく、ＵＥが自分で選択するようにする。
【００９０】
次に、図１７Ｃに示すように、ＵＥは、例えば、ＴＰＭＩ、ＴＲＩが含まれる選択されたプリコードされたリソースに対応するプリコード行列によって、アップリンクＣＳＩを収集する。
【００９１】
最後に、図１７Ｄに示すように、ＵＥは、收集されたアップリンクＣＳＩによって、データ伝送に使用されるプリコード行列を確定して、アップリンクデータチャネルＰＵＳＣＨでアップリンクデータを送信する。
【００９２】
次に、図１８を参照して、アップリンクＫ＞１  Ｃｌａｓｓ  Ｂ  ＣＳＩの取得についてさらに説明する。
【００９３】
アップリンク送信ビームが確定された後、ＵＥは、当該ビームでのプリコードされたＫ＞１リソースのＣｌａｓｓ  Ｂ  ＳＲＳの送信を開始する。プリコードされたＳＲＳポートの数は、ＵＥが持っているＴＸＲＵの数よりも小さいことがよくある。例えば、図１９は、物理リソースブロック（ＰＲＢ）にはＫ個のＳＲＳリソースが共存する概略図を示す。図１９において、横軸ｔは時間（即ちＯＦＤＭシンボル）を表し、縦軸ｆは周波数（即ちサブキャリア）を表す。
【００９４】
時間の観点から見ると、Ｋ＞１  Ｃｌａｓｓ  ＢのＳＲＳ送信周期は長く、その目的は、基地局にＵＥのアップリンクチャネルの一般的な状況、即ち、どのプリコーダでの参照信号がＣＳＩの取得に適合しているかを知らせることである。
【００９５】
基地局は、Ｋ＞１  Ｃｌａｓｓ  Ｂ  ＳＲＳを測定した後、例えば、各ＳＲＳリソースのＲＳＲＰを取得することができ、最大のＲＳＲＰを有するＳＲＳリソースによって運ばれるＳＲＳのプリコーダを選択されたプリコーダとして使用し、ＳＲＩを介してＵＥに通知することができる。ＵＥは当該ＳＲＩを介して基地局によって指示されるプリコーダを識別し、ＳＲＳをプリコードして、基地局が当該プリコードされたＳＲＳを測定してアップリンクＣＳＩを取得するように、Ｋ＞１  Ｃｌａｓｓ  Ｂ  ＳＲＳよりも高密度に送信する。
【００９６】
以上のように、基地局は、ＳＲＩを介してアップリンク送信ビームをＵＥに通知することができ、また、基地局は、ＳＲＩを介して代替のプリコードをＵＥに通知してもよい。相応的に、次の例の方法を採用して、ＳＲＩの用途を区別することができる。
【００９７】
方式１：基地局は、ＳＲＩに関連付けられたＳＲＳリソースをＵＥに事前に通知でき、基地局は、ＲＲＣなどの高レイヤーシグナリングによって、ＵＥにＳＲＳリソースを配置できる。例えば、リソースの一部は、アップリンクビーム走査のみに使用され、リソースの一部は、アップリンクプリコードされたＳＲＳの送信のみに使用されるようにすることで、ＳＲＩに対応するＳＲＳリソースの目的、即ち、ビーム走査に使用されるかそれともアップリンクＣＳＩの取得に使用されるかを確定することができる。
【００９８】
方式２：基地局は、例えば、１ビット（ｂｉｔ）の指示情報を使用して、ＳＲＩに付随して当該ＳＲＩの用途をＵＥに通知することができる。例えば、ｂｉｔ「０」は、当該ＳＲＩが指すＳＲＳリソースがビーム走査に使用されるＳＲＳであることを表し、ｂｉｔ  「１」は当該ＳＲＩが指すＳＲＳリソースがＣＳＩの取得に使用されるＳＲＳであることを表す。
【００９９】
相応的に、一実施例によれば、受信制御ユニット１１３は、基地局によって通知されるアップリンク参照信号リソースを受信するように制御するように配置され、当該アップリンク参照信号リソースにおいて、リソースの一部はアップリンクビーム走査のみに使用され、リソースの一部はアップリンク参照信号の送信のみに使用されることができる。
【０１００】
一実施例では、アップリンク参照信号リソース指示とともに基地局によって送信された指示ビットに従って、アップリンク参照信号リソース指示がアップリンクビーム走査に使用されるリソースに向けられるか、それともアップリンク参照信号の送信に使用されるリソースに向けられるかを確定することができる。
【０１０１】
さらに、アップリンクのビーム走査の手順を加速又は省略するために、初期アクセス階段で確定されたビームペアリンクのみによって通信することができ、ＵＥは、細かいビームペアリンクの代わりに、プリコードされたＳＲＳ技術を使用することができる。
【０１０２】
相応的に、一実施例によれば、送信制御ユニット１１１は、初期アクセス階段で確定されたビームペアリンクによって、第１のアップリンク参照信号を送信するように制御するように配置されることができる。
【０１０３】
その後、アップリンクＫ＝１  Ｃｌａｓｓ  Ｂ  ＣＳＩの取得を行うことができる。基地局は、プリコードされたＫ＝１  Ｃｌａｓｓ  Ｂ  ＳＲＳを測定して、ＴＰＭＩを算出してＵＥに通知することができる。
【０１０４】
一例として、図２０は、チャネル状態情報を取得する手順例を示した。図１６に示す手順例と比較して、図２０に示す手順例では、ＵＬ  Ｔｘビームが確定された後、ＵＥは、Ｋ個のプリコードされたＳＲＳリソースを送信し、基地局は、Ｋ個のＳＲＳリソースを測定して、最も強いゲインを持つビームを確定し、対応するｔｙｐｅ  ＩＩ  ＳＲＩをＵＥに指示する。
【０１０５】
図７は、本発明の第２の態様の実施例によるユーザー装置側に使用される無線通信方法の手順例を示し、当該方法は、２つ以上のアップリンク参照信号リソースを利用して、プリコードされた第１のアップリンク参照信号を送信するステップＳ７１０と、第１のアップリンク参照信号に対する基地局からのフィードバックを受信するステップＳ７２０と、フィードバックに基づいて、プリコードされた第２のアップリンク参照信号を送信するステップＳ７３０と、とを含む。
【０１０６】
次に、引き続き図４を参照して、本発明の第２の態様の一実施例による基地局側に使用される電子装置の配置例について説明する。本実施例による電子装置４００は、処理回路４１０を含み、処理回路４１０は受信制御ユニット４１１及び送信制御ユニット４１３を含む。
【０１０７】
受信制御ユニット４１１は、ユーザー装置から、２つ以上のアップリンク参照信号リソースを利用して送信されたプリコードされた第１のアップリンク参照信号を受信するように制御するように配置される。
【０１０８】
送信制御ユニット４１３は、第１のアップリンク参照信号に基づいて、ユーザー装置にフィードバックを送信するように制御するように配置される。
【０１０９】
受信制御ユニット４１１はさらに、当該フィードバックに基づいてユーザー装置によって送信されたプリコードされた第２のアップリンク参照信号を受信するように制御するように配置される。
【０１１０】
図８は、本発明の第２の態様の一実施例による基地局側に使用される無線通信方法の手順例を示し、当該方法は、ユーザー装置から、２つ以上のアップリンク参照信号リソースを利用して送信されたプリコードされた第１のアップリンク参照信号を受信するステップＳ８１０と、第１のアップリンク参照信号に基づいて、ユーザー装置にフィードバックを送信するステップＳ８２０と、当該フィードバックに基づいてユーザー装置によって送信されたプリコードされた第２のアップリンク参照信号を受信するステップＳ８３０と、を含む。
【０１１１】
図９に示すように、一実施例によれば、ユーザー装置側に使用される無線通信装置は、プリコードされていない第１のアップリンク参照信号を送信するように配置される送信制御装置９１０と、第１のアップリンク参照信号に対する基地局からのフィードバックを受信するように配置される受信制御装置９２０と、を含み、送信制御装置９１０はさらに、当該フィードバックに基づいて、プリコードされた第２のアップリンク参照信号を送信するように配置される。
【０１１２】
引き続き図９を参照して、他の実施例によれば、ユーザー装置側に使用される無線通信装置は、２つ以上のアップリンク参照信号リソースを利用して、プリコードされた第１のアップリンク参照信号を送信するように配置される送信制御装置９１０と、第１のアップリンク参照信号に対する基地局からのフィードバックを受信するように配置される受信制御装置９２０と、を含み、送信制御装置９１０はさらに、当該フィードバックに基づいて、プリコードされた第２のアップリンク参照信号を送信するように配置される。
【０１１３】
図１０に示すように、一実施例によれば、基地局側に使用される無線通信装置は、ユーザー装置から、プリコードされていない第１のアップリンク参照信号を受信するように配置される受信制御装置１０１０と、第１のアップリンク参照信号に基づいて、ユーザー装置にフィードバックを送信するように配置される送信制御装置１０２０と、を含み、受信制御装置１０１０はさらに、ユーザー装置から、当該フィードバックに基づいて送信されたプリコードされた第２のアップリンク参照信号を受信するように配置される。
【０１１４】
引き続き図１０を参照して、他の実施例によれば、基地局側に使用される無線通信装置は、ユーザー装置から、２つ以上のアップリンク参照信号リソースを利用して送信されたプリコードされた第１のアップリンク参照信号を受信するように配置される受信制御装置１０１０と、第１のアップリンク参照信号に基づいて、ユーザー装置にフィードバックを送信するように配置される送信制御装置１０２０と、を含み、受信制御装置１０１０はさらに、当該フィードバックに基づいてユーザー装置によって送信されたプリコードされた第２のアップリンク参照信号を受信するように配置される。
【０１１５】
また、本発明の実施例は、情報処理装置によって実行されるときに情報処理装置に上記の実施例による方法を実行させる実行可能指令が含まれるコンピュータ可読媒体をさらに含む。
【０１１６】
一例として、上記方法の各ステップ及び上記装置の各構成モジュール及び／又はユニットは、ソフトウェア、ファームウェア、ハードウェア又はそれらの組み合わせとして実装されることができる。ソフトウェア又はファームウェアによって実現する場合に、上記方法を実現するためのソフトウェアを構成するプログラムを、記憶媒体又はネットワークから専用のハードウェア構成を有するコンピュータ(例えば、図２１に示す汎用コンピュータ２０００)にインストールしてもよく、当該コンピュータは、様々なプログラムがインストールされる場合に、様々な機能などを実行することができる。
【０１１７】
図２１では、中央処理装置（即ち、ＣＰＵ）２１０１は、読み取り専用メモリ（ＲＯＭ）２１０２に記憶されたプログラム又は記憶部分２１０８からランダムアクセスメモリ（ＲＡＭ）２１０３にロードされたプログラムに従って様々な処理を実行する。ＲＡＭ２１０３には、必要に応じても、ＣＰＵが様々な処理などを実行する際に必要なデータが記憶される。ＣＰＵ２１０１、ＲＯＭ２１０２、及びＲＡＭ２１０３はバス２１０４を介して互いに接続される。入力／出力インターフェース２１０５もバス２１０４に接続される。
【０１１８】
入力部分２１０６（キーボード、マウスなどを含む）、出力部分２１０７（例えば陰極線管（ＣＲＴ）、液晶ディスプレイ（ＬＣＤ）などのディスプレイとスピーカなどを含む）、記憶部分２１０８（ハードウェアなどを含む）、通信部分２１０９（例えばＬＡＮカードやモデムなどのネットワークインターフェースカードを含む）が入力／出力インターフェース２１０５に接続される。通信部分２１０９は例えばインターネットなどのネットワークを介して通信処理を実行する。必要に応じて、ドライバー２１１０は入力／出力インターフェース２１０５に接続されてもよい。例えば磁気ディスク、光ディスク、光磁気ディスク、半導体メモリなどのリムーバブルメディア２１１１は、その中から読み出したコンピュータプログラムが必要に応じて記憶部２１０８にインストールされるように、必要に応じてドライバー２１１０に装着される。
【０１１９】
ソフトウェアによって上記した一連の処理を実現する場合に、例えばインターネットであるネットワーク又は例えばリムーバブルメディア２１１１である記憶媒体から、ソフトウェアを構成するプログラムをインストールする。
【０１２０】
当業者が理解すべきことは、このような記憶媒体が図２１に示すような、その中にプログラムが記憶され、装置とは別途配布してユーザーにプログラムを提供するリムーバブルメディア２１１１に限定されない。リムーバブルメディア２１１１の例は、磁気ディスク（フロッピーディスク（登録商標）を含む）、光ディスク（光ディスク読み取り専用メモリ（ＣＤ-ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、プログラムが記憶されたＲＯＭ２１０２、記憶部分２１０８に含まれるハードウェアなどであってもよく、これらが含まれた装置と一緒にユーザーに配布する。
【０１２１】
本発明の実施例はさらに、機械可読命令コードが記憶されたプログラム製品に関する。前記命令コードが機械によって読み取って実行されるときに、本発明の実施例による上記した方法を実行することができる。
【０１２２】
相応的に、上記した機械可読命令コードが記憶されたプログラム製品を運ぶための記憶媒体も本発明の開示に含まれる。前記記憶媒体は、フロッピーディスク、光ディスク、光磁気ディスク、メモリカード、メモリスティックなどを含むが、これらに限定されない。
【０１２３】
本出願の実施例はさらに、次のような電子装置に関する。電子装置が基地局側に使用される場合に、電子装置は、例えばマクロｅＮＢや小ｅＮＢなどの任意のタイプの進化ノードＢ（ｅＮＢ）として実現されることができる。小ｅＮＢは、例えばピコｅＮＢ、マイクロｅＮＢ、及び家庭(フェムト)ｅＮＢなどのマクロセルよりも小さいセルをカバーできるｅＮＢであってもよい。その代わりに、電子装置は、例えばＮｏｄｅＢと基地局トランシーバ(ＢＴＳ)のような任意の別のタイプの基地局として実現されることができる。好ましくは、電子装置は５ＧシステムにおけるｇＮＢとして実現してもよい。電子装置は、無線通信を制御するように配置される主体(基地局装置とも呼ばれる)と、主体と異なるところに設けられる１つ又は複数のリモート無線ヘッド(ＲＲＨ)とを含むことができる。また、後述する様々なタイプのユーザー装置はいずれも、基地局機能を一時的又は半永久的に実行することによって、基地局として機能することができる。
【０１２４】
電子装置は、ユーザー装置側に使用される場合に、携帯端末(例えばスマートフォン、タブレットパーソナルコンピューター(ＰＣ)、ノートＰＣ、携帯ゲーム端末、ポータブル／ドングルモバイルルーター、及びデジタル撮影装置など)又は車載端末(カーナビゲーション装置など)として実現されることができる。また、電子装置は、上記端末のそれぞれに搭載された無線通信モジュール(例えば単一又は複数のチップが含まれる集積回路モジュール)であってもよい。
【０１２５】
[端末装置についての適用例]
図２２は本開示の技術を適用できるスマートフォン２５００の概略配置の一例を示すブロック図である。スマートフォン２５００はプロセッサ２５０１、メモリ２５０２、記憶装置２５０３、外部接続インターフェース２５０４、撮影装置２５０６、センサー２５０７、マイク２５０８、入力装置２５０９、表示装置２５１０、スピーカ２５１１、無線通信インターフェース２５１２、１つ又は複数のアンテナスイッチ２５１５、１つ又は複数のアンテナ２５１６、バス２５１７、バッテリー２５１８及び補助コントローラ２５１９を含む。
【０１２６】
プロセッサ２５０１は例えばＣＰＵ又はシステムオンチップ(ＳｏＣ)であり、スマートフォン２５００のアプリケーション層と別の層の機能を制御することができる。メモリ２５０２はＲＡＭとＲＯＭを含み、データとプロセッサ２５０１によって実行されるプログラムが記憶される。記憶装置２５０３は例えば半導体メモリとハードディスクのような記憶媒体を含むことができる。外部接続インターフェース２５０４は外部装置(例えばメモリカードとユニバーサルシリアルバス(ＵＳＢ)装置)をスマートフォン２５００に接続するためのインターフェースである。
【０１２７】
撮影装置２５０６はイメージセンサー(例えば電荷結合デバイス(ＣＣＤ)と相補型金属酸化物半導体(ＣＭＯＳ))を含み、撮影画像を生成する。センサー２５０７は例えば測定センサー、ジャイロセンサー、地磁気気センサー及び加速度センサーのような１組みのセンサーを含んでもよい。マイク２５０８はスマートフォン２５００に入力された音をオーディオ信号に変換する。入力装置２５０９は例えば表示装置２５１０のスクリーンでのタッチを検出するように配置されるタッチセンサー、キーパッド、キーボード、ボタン又はスイッチを含み、ユーザーから入力された動作又は情報を受信する。表示装置２５１０はスクリーン(例えば液晶ディスプレイ(ＬＣＤ)と有機発光ダイオード(ＯＬＥＤ)ディスプレイ)を含み、スマートフォン２５００の出力画像を表示する。スピーカ２５１１はスマートフォン２５００から出力したオーディオ信号を音に変換する。
【０１２８】
無線通信インターフェース２５１２は任意のセルラー通信方式(例えば、ＬＴＥとＬＴＥ-先進)をサポートし、無線通信を実行する。無線通信インターフェース２５１２は通常、例えばベースバンド（ＢＢ）プロセッサ２５１３と無線周波数（ＲＦ）回路２５１４を含むことができる。ＢＢプロセッサ２５１３は例えば、符号化／復号化、変調／復調、多重化／多重化解除を実行すると共に、無線通信のための様々なタイプの信号処理を実行することができる。同時に、ＲＦ回路２５１４は例えばミキサ、フィルタ、及び増幅器を含み、アンテナ２５１６を介して無線信号を送受信することができる。無線通信インターフェース２５１２はその上にＢＢプロセッサ２５１３とＲＦ回路２５１４が集積化される１つのチップモジュールであってもよい。図２２に示すように、無線通信インターフェース２５１２は複数のＢＢプロセッサ２５１３と複数のＲＦ回路２５１４を含んでもよい。図２２に、無線通信インターフェース２５１２に複数のＢＢプロセッサ２５１３と複数のＲＦ回路２５１４が含まれる例を示したが、無線通信インターフェース２５１２は単一のＢＢプロセッサ２５１３又は単一のＲＦ回路２５１４を含んでもよい。
【０１２９】
なお、セルラー通信方式の以外、無線通信インターフェース２５１２は、例えば短距離無線通信方式、近接通信方式や無線ローカルネットワーク(ＬＡＮ)方式などの別のタイプの無線通信方式をサポートすることができる。この場合、無線通信インターフェース２５１２は無線通信方式ごとにＢＢプロセッサ２５１３とＲＦ回路２５１４を含んでもよい。
【０１３０】
アンテナスイッチ２５１５のそれぞれは無線通信インターフェース２５１２に含まれる複数の回路(例えば異なる無線通信方式に使用される回路)間でアンテナ２５１６の接続先を切り替える。
【０１３１】
アンテナ２５１６のそれぞれは単一又は複数のアンテナ素子(例えばＭＩＭＯアンテナに含まれた複数のアンテナ素子)を含み、無線通信インターフェース２５１２の無線信号の送受信に使用される。図２２に示すように、スマートフォン２５００は複数のアンテナ２５１６を含んでもよい。図２２に、スマートフォン２５００に複数のアンテナ２５１６が含まれる例を示したが、スマートフォン２５００は単一のアンテナ２５１６を含んでもよい。
【０１３２】
なお、スマートフォン２５００は無線通信方式ごとにアンテナ２５１６を含んでもよい。この場合に、アンテナスイッチ２５１５はスマートフォン２５００の配置から省略されてもよい。
【０１３３】
バス２５１７はプロセッサ２５０１、メモリ２５０２、記憶装置２５０３、外部接続インターフェース２５０４、撮像装置２５０６、センサー２５０７、マイク２５０８、入力装置２５０９、表示装置２５１０、スピーカ２５１１、無線通信インターフェース２５１２及び補助コントローラ２５１９を互いに接続する。バッテリー２５１８は給電線によって図２２に示すスマートフォン２５００の各ブロックに電力を提供し、給電線は図面において部分的に点線として示される。補助コントローラ２５１９は例えばスリープモードでスマートフォン２５００の最低限必要な機能を動作させる。
【０１３４】
図２２に示すスマートフォン２５００では、本発明の実施例によるユーザー装置側の無線通信装置の送受信装置は、無線通信インターフェース２５１２によって実現することができる。本発明の実施例によるユーザー装置側の電子装置又は無線通信装置の処理回路及び／又は各ユニットの機能の少なくとも一部はプロセッサ２５０１又は補助コントローラ２５１９によって実現してもよい。例えば、補助コントローラ２５１９がプロセッサ２５０１の機能の一部を実行することで、バッテリー２５１８の消費電力を低減することができる。また、プロセッサ２５０１又は補助コントローラ２５１９は、メモリ２５０２又は記憶装置２５０３に記憶されたプログラムを実行することによって、本発明の実施例によるユーザー装置側の電子装置又は無線通信装置の処理回路及び／又は各ユニットの機能の少なくとも一部を実行することができる。
【０１３５】
[基地局についての適用例]
図２３は本開示の技術を適用できるｇＮＢの概略配置の一例を示すブロック図である。ｇＮＢ２３００は複数のアンテナ２３１０及び基地局装置２３２０を含む。基地局装置２３２０と各アンテナ２３１０は無線周波数（ＲＦ）ケーブルを介して互いに接続されることができる。
【０１３６】
アンテナ２３１０のそれぞれは単一又は複数のアンテナ素子(例えば多入力多出力(ＭＩＭＯ)アンテナに含まれる複数のアンテナ素子)を含み、基地局装置２３２０の無線信号の送受信に使用される。図２３に示すように、ｇＮＢ２３００は複数のアンテナ２３１０を含んでもよい。例えば、複数のアンテナ２３１０はｇＮＢ２３００に使用される複数の周波数領域と互換性があり得る。
【０１３７】
基地局装置２３２０は、コントローラ２３２１、メモリ２３２２、ネットワークインターフェース２３２３及び無線通信インターフェース２３２５を含む。
【０１３８】
コントローラ２３２１は例えばＣＰＵ又はＤＳＰであり、且つ、基地局装置２３２０の上位層の各種機能を動作させる。例えば、コントローラ２３２１は無線通信インターフェース２３２５によって処理された信号におけるデータに基づいて、データパケットを生成し、ネットワークインターフェース２３２３を介して、生成されたパケットを伝送する。コントローラ２３２１は複数のベースバンドプロセッサからのデータをバンドルして、バンドルパケットを生成し、生成されたバンドルパケットを伝送することができる。コントローラ２３２１は以下のような制御を実行する論理機能を有してもよく、当該制御は例えば、無線リソース制御、無線ベアラ制御、モビリティ管理、受付制御、及びスケジューリングなどである。当該制御は近くのｇＮＢ又はコアネットワークノードと結合して実行することができる。メモリ２３２２はＲＡＭとＲＯＭを含み、コントローラ２３２１によって実行されるプログラム及び各種制御データ(例えば、端末リスト、伝送電力データ及びスケジューリングデータ)が記憶される。
【０１３９】
ネットワークインターフェース２３２３は基地局装置２３２０をコアネットワーク２３２４の通信インターフェースに接続するためのものである。コントローラ２３２１はネットワークインターフェース２３２３を介してコアネットワークノード又は別のｇＮＢと通信することができる。この場合、ｇＮＢ２３００とコアネットワークノード又は別のｇＮＢとは論理インターフェース(例えばＳ１インターフェースとＸ２インターフェース)によって互いに接続される。ネットワークインターフェース２３２３は有線通信インターフェース又は無線バックホール回線用の無線通信インターフェースであってもよい。ネットワークインターフェース２３２３が無線通信インターフェースであれば、ネットワークインターフェース２３２３は、無線通信インターフェース２３２５によって使用される周波数帯よりも高い周波数帯を無線通信に使用することができる。
【０１４０】
無線通信インターフェース２３２５は任意のセルラー通信方式(例えば、長期的な進化(ＬＴＥ)及びＬＴＥー先進)をサポートし、アンテナ２３１０を介してｇＮＢ２３００のセルに位置する端末への無線接続を提供する。無線通信インターフェース２３２５は通常、例えばＢＢプロセッサ２３２６とＲＦ回路２３２７を含むことができる。ＢＢプロセッサ２３２６は例えば、符号化／復号化、変調／復調、多重化／多重化解除を実行すると共に、レイヤー(例えばＬ１、メディアアクセス制御(ＭＡＣ)、無線リンク制御(ＲＬＣ)、パケットデータアグリゲーションプロトコル(ＰＤＣＰ))の様々なタイプの信号処理を実行することができる。コントローラ２３２１の代わりに、ＢＢプロセッサ２３２６は上記した論理機能の一部又は全部を有してもよい。ＢＢプロセッサ２３２６は通信制御プログラムが記憶されるメモリであってもよく、或いは、プログラムを実行するように配置されるプロセッサ及び関連する回路を含むモジュールであってもよい。プログラムの更新はＢＢプロセッサ２３２６の機能を変更させることができる。当該モジュールは基地局装置２３２０のスロットに挿入されるカード又はブレッドであってもよい。その代わりに、当該モジュールはカード又はブレッドに搭載されるチップであってもよい。同時に、ＲＦ回路２３２７は、例えばミキサ、フィルタ、増幅器を含んで、アンテナ２３１０を介して無線信号を送受信してもよい。
【０１４１】
図２３に示すように、無線通信インターフェース２３２５は複数のＢＢプロセッサ２３２６を含んでもよい。例えば、複数のＢＢプロセッサ２３２６は、ｇＮＢ２３００によって使用される複数の周波数領域と互換性があり得る。図２３に示すように、無線通信インターフェース２３２５は複数のＲＦ回路２３２７を含んでもよい。例えば、複数のＲＦ回路２３２７は複数のアンテナ素子と互換性があり得る。図２３には、無線通信インターフェース２３２５には複数のＢＢプロセッサ２３２６と複数のＲＦ回路２３２７が含まれる例を示したが、無線通信インターフェース２３２５は単一のＢＢプロセッサ２３２６又は単一のＲＦ回路２３２７を含んでもよい。
【０１４２】
図２３に示すｇＮＢ２３００において、本発明の実施例による基地局側の無線通信装置の送受信装置は、無線通信インターフェース２３２５によって実現することができる。本発明の実施例による基地局側の電子装置又は無線通信装置の処理回路及び／又は各ユニットの機能の少なくとも一部は、コントローラ２３２１によって実現してもよい。例えば、コントローラ２３２１は、メモリ２３２２に記憶されたプログラムを実行することによって、本発明の実施例による基地局側の電子装置又は無線通信装置の処理回路及び／又は各ユニットの機能の少なくとも一部を実行することができる。
【０１４３】
上記の本発明の具体的な実施形態の説明では、1つの実施形態について説明及び／又は図示された特徴は、他の実施形態における特徴と組み合わせて、又は他の実施形態における特徴の代わりに、1つ又は複数の他の実施形態において同じ又は類似の方法で使用されることができる。
【０１４４】
本明細書で使用する「含む／包含」という用語とは、特徴、要素、ステップ又は構成部品の存在を指すが、1つ又は複数の他の特徴、要素、ステップ又は構成部品の存在又は追加を排除するものではないことは強調されるべきである。
【０１４５】
上記の実施形態及び実施例では数字からなる参照符号を使用して各ステップ及び／又はユニットを示す。当業者であれば、これらの参照番号は説明及び図面の便宜上のものにすぎず、順序又は他の任意の限定を表すことを意図しないことを理解すべきである。
【０１４６】
また、本発明の方法は、明細書に記載された時系列に限定されるものではなく、他の時系列で、並行して、又は独立して実行されてもよい。従って、本明細書に記載された方法の実行順序は、本発明の技術的範囲を限定するものではない。
【０１４７】
本発明は、本発明の具体的な実施例を説明することにより上記で開示されたが、上記の全ての実施形態及び実施例は例示的なものであり、限定的なものではないことは理解すべきである。当業者であれば、添付の特許請求の範囲の精神及び範囲内で、本発明に対する様々な修正、改良、又は等価物を設計することができる。これらの修正、改良、又は等価物も本発明の範囲内に含まれると考えられるべきである。
【図１】
2021510940.tif 000004
【図２】
2021510940.tif 000005
【図３】
2021510940.tif 000006
【図４】
2021510940.tif 000007
【図５】
2021510940.tif 000008
【図６】
2021510940.tif 000009
【図７】
2021510940.tif 000010
【図８】
2021510940.tif 000011
【図９】
2021510940.tif 000012
【図１０】
2021510940.tif 000013
【図１１】
2021510940.tif 000014
【図１２Ａ】
2021510940.tif 000015
【図１２Ｂ】
2021510940.tif 000016
【図１２Ｃ】
2021510940.tif 000017
【図１２Ｄ】
2021510940.tif 000018
【図１３】
2021510940.tif 000019
【図１４】
2021510940.tif 000020
【図１５】
2021510940.tif 000021
【図１６】
2021510940.tif 000022
【図１７Ａ】
2021510940.tif 000023
【図１７Ｂ】
2021510940.tif 000024
【図１７Ｃ】
2021510940.tif 000025
【図１７Ｄ】
2021510940.tif 000026
【図１８】
2021510940.tif 000027
【図１９】
2021510940.tif 000028
【図２０】
2021510940.tif 000029
【図２１】
2021510940.tif 000030
【図２２】
2021510940.tif 000031
【図２３】
2021510940.tif 000032
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
処理回路を含む、ユーザー装置側に使用される電子装置であって、
前記処理回路は、
プリコードされていない第１のアップリンク参照信号を送信し、
前記第１のアップリンク参照信号に対する基地局からのフィードバックを受信し、
前記フィードバックに基づいて、プリコードされた第２のアップリンク参照信号を送信する、
ように制御するように配置される電子装置。
【請求項２】
前記処理回路は、第１の周期で前記第１のアップリンク参照信号を送信し、前記第１の周期よりも小さい第２の周期で前記第２のアップリンク参照信号を送信するように制御するように配置される、請求項１に記載の電子装置。
【請求項３】
前記処理回路はさらに、ビーム走査を行い、前記ビーム走査によって確定されたビームで前記第１のアップリンク参照信号を送信するように制御するように配置される、請求項１に記載の電子装置。
【請求項４】
前記処理回路は、初期アクセス階段で確定されたビームで前記第１のアップリンク参照信号を送信するように制御するように配置される、請求項１に記載の電子装置。
【請求項５】
前記フィードバックは、前記第１のアップリンク参照信号に基づいて前記基地局によって確定されたプリコード行列指示を含む、請求項１に記載の電子装置。
【請求項６】
前記処理回路はさらに、前記第２のアップリンク参照信号に基づいて前記基地局によって確定されたアップリンクチャネル状態情報を受信するように制御するように配置される、請求項１に記載の電子装置。
【請求項７】
前記アップリンクチャネル状態情報は、アップリンクプリコード行列インデックス及びランクインデックスを含む、請求項６に記載の電子装置。
【請求項８】
前記処理回路は、電力ブースト方式で前記第１のアップリンク参照信号を送信するように配置され、前記電力ブースト方式は、
前記第１のアップリンク参照信号が含まれる直交周波数分割多重シンボル内で、前記第１のアップリンク参照信号を運ぶリソースユニットに電力を集中させることを含み、或いは、
前記電力ブースト方式は、
前記第１のアップリンク参照信号が含まれる１つの直交周波数分割多重シンボル内で、１つのアップリンク参照信号ポートのみを送信することを含む、
請求項１に記載の電子装置。
【請求項９】
前記電力ブースト方式はさらに、
前記第１のアップリンク参照信号が含まれる直交周波数分割多重シンボル内で、非アップリンク参照信号のリソースユニットに零電力を配置することを含む、
請求項８に記載の電子装置。
【請求項１０】
前記処理回路は、前記電力ブースト方式を使用するかどうかに関する指示情報を前記基地局に報告するように制御するように配置される、請求項８に記載の電子装置。
【請求項１１】
処理回路を含む、ユーザー装置側に使用される電子装置であって、
前記処理回路は、
２つ以上のアップリンク参照信号リソースを利用して、プリコードされた第１のアップリンク参照信号を送信し、
前記第１のアップリンク参照信号に対する基地局からのフィードバックを受信し、
前記フィードバックに基づいて、プリコードされた第２のアップリンク参照信号を送信する、
ように制御するように配置される電子装置。
【請求項１２】
前記処理回路は、第１の周期で前記第１のアップリンク参照信号を送信し、前記第１の周期よりも小さい第２の周期で前記第２のアップリンク参照信号を送信するように制御するように配置される、請求項１１に記載の電子装置。
【請求項１３】
前記処理回路はさらに、ビームの空間的カバレッジに従って、前記第１のアップリンク参照信号に使用されるアップリンク参照信号リソースの数を確定するように配置され、前記ビームがビーム走査によって確定されるか、又は、初期のアクセス階段で確定される、請求項１１に記載の電子装置。
【請求項１４】
前記フィードバックは、
前記２つ以上のアップリンク参照信号リソースを測定することにより前記基地局によって選択された参照信号リソースの指示情報、又は、
各プリコードされたアップリンク参照信号リソースに対する前記基地局のチャネル品質指示、を含む、請求項１１に記載の電子装置。
【請求項１５】
前記処理回路は、前記基地局から通知されるアップリンク参照信号リソースを受信するように制御するように配置され、リソースの一部は、アップリンクビーム走査にのみ使用され、リソースの一部はアップリンク参照信号の送信にのみ使用される、
請求項１１に記載の電子装置。
【請求項１６】
前記処理回路は、アップリンク参照信号リソース指示とともに前記基地局によって送信された指示ビットに従って、前記アップリンク参照信号リソース指示がアップリンクビーム走査に使用されるリソースに向けられるか、アップリンク参照信号の送信に使用されるリソースに向けられるかを確定するように配置される、
請求項１１に記載の電子装置。
【請求項１７】
前記処理回路は、初期アクセス階段で確定されたビームペアリンクを介して前記第１のアップリンク参照信号を送信するように配置される、
請求項１１に記載の電子装置。
【請求項１８】
前記処理回路はさらに、前記第２のアップリンク参照信号に基づいて前記基地局によって確定されたアップリンクチャネル状態情報を受信するように制御するように配置される、
請求項１１に記載の電子装置。
【請求項１９】
前記アップリンクチャネル状態情報は、アップリンクプリコード行列インデックスを含む、
請求項１８に記載の電子装置。
【請求項２０】
ユーザー装置側に使用される無線通信方法であって、
２つ以上のアップリンク参照信号リソースを利用して、プリコードされた第１のアップリンク参照信号を送信することと、
前記第１のアップリンク参照信号に対する基地局からのフィードバックを受信することと、
前記フィードバックに基づいて、プリコードされた第２のアップリンク参照信号を送信することと、
を含む無線通信方法。
【国際調査報告】
2021510940.tif 000033
2021510940.tif 000034
2021510940.tif 000035
2021510940.tif 000036